(57)【要約】【課題】  吹出口の結露防止用の断熱シートを視認できない位置に貼着して外観性を損なわないようにした構造でなる空気調和機を提供する。【解決手段】  吸込口１と、パネル部材２および断熱部材３からなり、風向偏向板４を枢支した通風部を含む吹出口５とが近接して配置されたパネル６を有する空気調和機において、前記断熱部材３に前記吹出口５側に突出する突起部３ａを設け、同突起部３ａに近接する前記パネル部材２の一部に断熱シート７を貼着してなる構成にした。【選択図】  図１
2008057843.tif 000002
【特許請求の範囲】
【請求項１】
吸込口と、パネル部材および断熱部材からなり、風向偏向板を枢支した送風部を含む吹出口とが近接して配置されたパネルを有する空気調和機において、
前記断熱部材に前記吹出口に突出する突起部を設け、同突起部に近接する前記パネル部材の一部に断熱シートを貼着してなることを特徴とする空気調和機。
【請求項２】
前記突起部と前記パネル部材との接合部が、前記風向偏向板の少なくとも枢支部の上流側に設けられてなることを特徴とする請求項１に記載の空気調和機。
【発明の詳細な説明】
【技術分野】
【０００１】
本発明は、天井埋込型の空気調和機に係わり、より詳細には、吹出口の結露防止用の断熱シートを視認できない位置に貼着して外観性を損なわないようにした構造に関する。
【背景技術】
【０００２】
従来の天井埋込型の空気調和機は、図２に示すように、天井面を見上げた時に視認される表面側が、合成樹脂製の成形品からなるパネル部材２で構成され、同パネル部材２の背面側が発泡成形品からなる断熱部材３で構成され、且つ回動自在に枢支された風向偏向板４を有する吹出口５を備えている。
【０００３】
前記吹出口５は、冷風吹出時に曲面状に形成された外側部分において空気流に剥離が生じることにより、該箇所に温度差が生じて図２に示す結露Ｋが発生するおそれがあることから、該箇所に断熱シートを貼着するなどの対策が施されることになり、この断熱シートが下方から視認できる位置に貼着されることになって外観性を損ねてしまうという問題点を有していた。
【０００４】
そのため、天井下面の吹出口部での冷風のショートサーキットや冷風吹出口外側部分での結露の発生を防止するものとして、本体を天井内に格納して配設されているパネルを有する空気調和機において、吹出口の風向を調整するルーバに対向して吹出通路長手方向の全域にわたって吹出通路幅の２０％以上をふさぐようにしてチャンバの吹出口の内面側に突起を設けたものが開示されていた（例えば、特許文献１参照。）。
【０００５】
しかしながら、吹出口の内面側に設けられた突起により、吹出通路長手方向の全域にわたって吹出通路幅の２０％以上がふさがれる構成になっていることから、該箇所を流通する空気流量が減少して送風性能が低下してしまうという問題点を有していた。
【特許文献１】特開平８−８６５０４号公報
【発明の開示】
【発明が解決しようとする課題】
【０００６】
そこで、本発明は上述した課題を解決するためになされたものであって、その目的は、吹出口の結露防止用の断熱シートを視認できない位置に貼着して外観性を損なわないようにした構造でなる空気調和機を提供することにある。
【課題を解決するための手段】
【０００７】
上述した目的を達成するため、本発明は以下に示す特徴を備えている。
【０００８】
吸込口と、パネル部材および断熱部材からなり、風向偏向板を枢支した送風部を含む吹出口とが近接して配置されたパネルを有する空気調和機において、
前記断熱部材に前記吹出口に突出する突起部を設け、同突起部に近接する前記パネル部材の一部に断熱シートを貼着してなることを特徴としている。
【０００９】
また、前記突起部と前記パネル部材との接合部が、前記風向偏向板の少なくとも枢支部の上流側に設けられてなることを特徴としている。
【発明の効果】
【００１０】
本発明によれば、吹出口を構成する断熱部材に同吹出口に突出する突起部を設け、同突起部に近接する前記パネル部材に断熱シートを貼着してなる構成にしたので、断熱シートを視認できない位置に貼着できるようになって外観性を損なわないようにした構造でなる空気調和機となる。
【発明を実施するための最良の形態】
【００１１】
次に、本発明の実施形態について図面を参照しながら説明する。
【００１２】
図１は本発明による天井埋込型の空気調和機を示す説明図で、（Ａ）は縦断面図であり、（Ｂ）は要部断面図である。
【００１３】
図１（Ａ）および図１（Ｂ）に示すように、本発明による天井埋込型の空気調和機は、被空調室の天井面Ａの上部に本体Ｂが図示しない吊下部材によって吊下設置されるとともに、前記本体Ｂの下面に被着されたパネル６が前記天井面Ａに沿うように配置されている。
【００１４】
前記パネル６には、被空調室の空気を吸い込む吸込口１と、同吸込口１の周囲に近接して配置された吹出口５とを備えており、これら吸込口１と吹出口５とを結ぶ空気通路には、同吸込口１に臨ませるように設けられた送風ファンＣと、同送風ファンＣの周囲を囲むように配置された熱交換器Ｄとを備えている。
【００１５】
これにより、前記吸込口１から吸い込まれた空気が前記熱交換器Ｄによって熱交換されたのち、前記吹出口５から吹き出されて被空調室が空気調和されるようになっている。
【００１６】
前記吹出口５は、風向を偏向するための風向偏向板４が枢支部４ａによって回動自在に枢支されている送風部を含み、前記風向偏向板４によって吹出空気を水平方向乃至下方の範囲に偏向させることにより使用者が望む方向に吹き出せるようになっている。
【００１７】
前記パネル６は、同パネル６（天井面）を見上げた時に視認される表面側が、合成樹脂製の成形品からなるパネル部材２で構成され、同パネル部材２の背面側が発泡成形品からなる断熱部材３で構成されている。
【００１８】
前記吹出口５は、図１（Ｂ）に示すように、凹面状に形成された一側が前記断熱部材３によって構成される一方、凸面状に形成された他側が、接合部ａとして示した前記断熱部材３と前記パネル部材２との接合位置から下面にかけて同パネル部材２で構成されるとともに、他側上端部が前記断熱部材３の一部を前記吹出口５に突出させた突起部３ａで構成されている。
【００１９】
なお、前記突起部３ａは、前記パネル部材２に対し面一状に連続形成された構成であってもよく、また、前記パネル部材２よりも前記吹出口５（送風部）側に少許突出するように形成された構成であってもよい。
【００２０】
これにより、例えば前記熱交換器Ｄによって熱交換された冷気が前記吹出口５を流通する際、前記パネル部材２と前記突起部３ａとが当接した接合部ａにおいて、これらパネル部材２と断熱部材３との材質の違いや表面形状の違いとして、例えば合成樹脂製のパネル部材２と発泡スチロール製の断熱部材３とで構成されることにより、また、前記パネル部材２に対し前記突起部３ａを突出させたことにより剥離して、このままでは、その下部となる前記パネル部材２の表面に、室内空気を巻き込むことで生じた温度差によって結露が生じることになるが、ここに、例えば植毛シートからなる断熱シート７を貼着することで結露が発生しないようになる。
【００２１】
前記接合部ａの位置は、前記風向偏向板４の枢支部４ａよりも上流側に位置するように構成されており、これによって、前記接合部ａの下部となる前記パネル部材２に貼着された前記断熱シート７は、使用者の目につきやすい前記パネル部材２の下面部ではなく、使用者が視認できない前記吹出口５の奥まった位置（送風部）に貼着されることになり、したがって、貼着された前記断熱シート７によって外観性が損なわれるということがない。
【００２２】
すなわち、吹出空気流に剥離を起こさせるための前記突起部３ａおよび前記接合部ａが、前記風向偏向板４の枢支部４ａよりも上流側に設けられたことで、そのままでは結露が生じてしまうことになる前記接合部ａの下部であって、使用者が視認できない前記吹出口５の奥まった位置となる前記パネル部材２に前記断熱シート７を貼着した構成になっており、これによって、結露が生じる位置を前記吹出口５の奥まった位置（送風部）に設定した上で、視認できない該位置に結露の発生を防止するための断熱シート７を貼着した天井埋込型の空気調和機を提供できる。
【図面の簡単な説明】
【００２３】
【図１】本発明による天井埋込型の空気調和機を示す説明図で、（Ａ）は縦断面図であり、（Ｂ）は要部断面図である。
【図２】従来例による天井埋込型の空気調和機の要部断面図である。
【符号の説明】
【００２４】
１  吸込口
２  パネル部材
３  断熱部材
３ａ  突起部
４  風向偏向板
４ａ  枢支部
５  吹出口
６  パネル
７  断熱シート
Ａ  天井面
Ｂ  本体
Ｃ  送風ファン
Ｄ  熱交換器
ａ  接合部
【図１】
2008057843.tif 000003
【図２】
2008057843.tif 000004